(57)【要約】【課題】除電ブラシにおいて、ブラシ繊維の脱落を簡単な手段で確実に防止することを課題とする。【解決手段】多数本の導電性ブラシ繊維束がそれぞれＵ字状に折り曲げられると共に、各ブラシ繊維束の折曲部内側に芯材が挾入され、上記各ブラシ繊維束の折曲部分及び芯材の外側に、２つ折りに折曲された１枚のシート状基材が上記各ブラシ繊維束及び芯材を挾む状態に被着され、上記基材の２つ折り内側面と、各ブラシ繊維束の折曲部分及び芯材とが接着された、ブラシ繊維脱落防止型除電ブラシ。【選択図】        図１
2004290439.tif 000002
【特許請求の範囲】
【請求項１】
多数本の導電性ブラシ繊維束がそれぞれＵ字状に折り曲げられると共に、各ブラシ繊維束の折曲部内側に芯材が挾入され、
上記各ブラシ繊維束の折曲部分及び芯材の外側に、２つ折りに折曲された１枚のシート状基材が上記各ブラシ繊維束及び芯材を挾む状態に被着され、
上記基材の２つ折り内側面と、各ブラシ繊維束の折曲部分及び芯材とが接着された、
ブラシ繊維脱落防止型除電ブラシ。
【請求項２】
多数本の導電性ブラシ繊維束がそれぞれＵ字状に折り曲げられると共に、各ブラシ繊維束の折曲部内側に芯材が挾入され、
上記各ブラシ繊維束の折曲部分及び芯材の外側に、２枚のシート状基材が該各ブラシ繊維束の折曲部分及び芯材を相対する両面から挾む状態に被着され、
上記２枚の基材の内側面と、各ブラシ繊維束の折曲部分及び芯材とが接着された、
ブラシ繊維脱落防止型除電ブラシ。
【発明の詳細な説明】
【０００１】
【発明の属する技術分野】
本願発明は、複写機、ファクシミリ、、プリンター等の事務機器、又は各種の印刷機器等における発生する静電気の除去に使用される除電ブラシの改良に関する。
【０００２】
【従来の技術】
従来、この種の除電ブラシとして、ミクロン単位の細いステンレス鋼繊維の多数本を束ねてなる導電性ブラシ繊維束の多数束と、片面に粘着剤を有するアルミ箔又は板からなる長方形の基材とを用意し、上記多数束のブラシ繊維束の各一端部分を上記基材の粘着剤面に長手方向に所要間隔をあけてそれぞれ接着すると共に、その上に両面粘着テープを接着したものが一般に知られている。
【０００３】
しかし、上記の除電ブラシでは、ブラシ繊維が基材から脱落し易く、脱落した繊維が事務機器の電気回路基板等に入りこんで誤動作を発生させる危険がある。
これを改善するため、熱硬化性樹脂等で各ブラシ繊維束を基材に固着すること、各ブラシ繊維束の端面に接着剤を塗布すること、さらには各ブラシ繊維束の基材に対応する部分を該繊維により織ること等によりブラシ繊維の脱落を防止する対策が提案されたが、いずれの対策も手間がかかり、加工費がかさむ欠点があった。
【０００４】
【発明が解決しようとする課題】
本願発明は、ブラシ繊維の脱落を簡単な手段で確実に防止することを課題とする。
【０００５】
【課題を解決するための手段】
上記課題解決の手段として、第１の発明は、
多数本の導電性ブラシ繊維束がそれぞれＵ字状に折り曲げられると共に、各ブラシ繊維束の折曲部内側に芯材が挾入され、
上記各ブラシ繊維束の折曲部分及び芯材の外側に、２つ折りに折曲された１枚のシート状基材が上記各ブラシ繊維束及び芯材を挾む状態に被着され、
上記基材の２つ折り内側面と、各ブラシ繊維束の折曲部分及び芯材とが接着された、
ブラシ繊維脱落防止型除電ブラシを提案し、
【０００６】
また、第２の発明は、
多数本の導電性ブラシ繊維束がそれぞれＵ字状に折り曲げられると共に、各ブラシ繊維束の折曲部内側に芯材が挾入され、
上記各ブラシ繊維束の折曲部分及び芯材の外側に、２枚のシート状基材が該各ブラシ繊維束の折曲部分及び芯材を相対する両面から挾む状態に被着され、
上記２枚の基材の内側面と、各ブラシ繊維束の折曲部分及び芯材とが接着された、
ブラシ繊維脱落防止型除電ブラシを提案する。
【０００７】
本発明における上記「シート状基材」には、アルミニウム合金、銅合金等の金属の箔、薄板、板、又は補強紙その他種々のものが使用される。
また、上記「導電性ブラシ繊維束」には、ステンレス鋼、アモルファス金属、ニッケル・チタン合金、銅・亜鉛合金等の弾性金属、又はカーボン繊維、アクリル繊維等の合成繊維に導電性金属を蒸着したもの、その他種々の材料からなる導電性微細線の束が使用される。
さらに、上記「芯材」は、合成樹脂、金属等の線状材もしくは箔、板等の帯状材、又は天然繊維、合成繊維、金属繊維、その他種々の繊維もしくはフィラメントからなる糸、紐等を含む。
以下図面を参照して本願発明の実施例について詳述する。
【０００８】
【実施例】
〔第１発明の実施例〕
図１（イ）に示すように、一面に粘着剤（２）を塗布したアルミ合金薄板からなる長方形基材（１）の粘着剤（２）面に、一例として１２ミクロン径のステンレス鋼繊維１００本の束からなる導電性ブラシ繊維束（３）の多数束を、基材（１）の長手方向と直交する向きで該基材（１）の幅から各ブラシ繊維束の両端部分を突出した状態で、長手方向に所定間隔をあけて接着する。
【０００９】
次に、同図（ロ）に示すように、金属線からなる１本の芯材（４）を、基材（１）の幅の中間位置に沿って各ブラシ繊維束（３）…の上に重ねつつ粘着剤（２）上に接着する。
【００１０】
次に、同図（ハ）に示すように、基材（１）を上記芯材（４）に対応する中間線を折曲線として各ブラシ繊維束（３）…を内側にＵ字状に折りこみつつ２つ折りに折り曲げ、それにより２つ折り基材（１）の内側に、各ブラシ繊維束（３）…が１本の芯材（４）に振り分け状態に折曲して保持されることとなる。
【００１１】
上記基板（１）を十分に折曲して、その２つ折り内側面の粘着剤（２）、（２）面を圧着させれば、該粘着剤（２）、（２）により基材（１）の２つ折り内側面と、各ブラシ繊維束（３）…のＵ字状折曲部分及び芯材（４）とを一体に接着し、そして各ブラシ繊維束（３）…の各両端部分を基材（１）から突出する除電ブラシ（Ａ）がえられる（同図（ニ））。
【００１２】
上例の除電ブラシ（Ａ）の２つ折り基材（１）の一外側面を事務機器の所定部位に両面粘着テープを介して接着し、そのブラシ繊維束（３）…の先端を所要部位に接触させる。
【００１３】
使用において、上記ブラシ繊維束（３）の中の繊維が図１（ニ）に示す矢印方向に引張られたとき、その引張り力に対し、基材（１）内側における該繊維の折曲部分（ａ）、（ｂ）の接合力がそれぞれ抵抗して該繊維の抜けを阻止しようとする。この場合、従来の除電ブラシにおける繊維は上記（ａ）又は（ｂ）の長さ分の接合力で抜けに抵抗するが、本発明における繊維は（ａ）＋（ｂ）の長さ分の接合力で抜けに抵抗し、しかも芯材（４）によって（ａ）＋（ｂ）の長さを維持する傾向にあるから、抜けに対する強い抵抗を保つ。
【００１４】
図２の他の実施例は、同図（イ）に示すように粘着剤（２ａ）を塗布したアルミ合金箔からなる基材（１ａ）の粘着剤（２ａ）面に、２０ミクロン径のコバルト・ホー素合金繊維１５本の束からなるブラシ繊維束（３ａ）…を、基材（１ａ）の幅から一端部分のみを突出させて接着し、その上に上記基材（１ａ）の２分の１幅のポリアミド樹脂帯状片からなる芯材（４ａ）を接着し、以下上例と同様に折曲、接着し、各ブラシ繊維束（３ａ）…の一端部分のみを基材（１ａ）から突出させた例である。
【００１５】
〔第２発明の実施例〕
図３（イ）に示すように、一面に粘着剤（２ｂ）をそれぞれ塗布したアルミ合金薄板からなる同一幅の２枚の長方形基材（１ｂ）、（１ｂ）を、その長辺間に小間隔（５ｂ）をあけて平行に並べ、その粘着剤（２ｂ）、（２ｂ）面に、図１と同様のブラシ繊維束（３ｂ）…を２枚の基材（１ｂ）、（１ｂ）を横断する状態に接着し、次に、１枚の基材（１ｂ）と同一幅の図２と同様の帯状芯材（４ｂ）を一方の基材（１ｂ）上に接着し、次に、各ブラシ繊維束（３ｂ）…を、上記小間隔（５ｂ）に対応する部分を折曲部として、芯材（４ｂ）を内側に挾みながら折り曲げつつ、２枚の基材（１ｂ）、（１ｂ）を粘着剤（２ｂ）、（２ｂ）面で上記ブラシ繊維束（３ｂ）…折曲部分ら相対する両面から接着する。
【００１６】
本例では、第１発明と異なり、基材を２つ折りに折曲する必要がないので、整った形態に仕上げられると共に、製作が能率化される。
【００１７】
【発明の効果】
本願第１発明の除電ブラシによれば、２つ折り基材の内側に各ブラシ繊維束が１本の芯材にそれぞれ振り分け状態に折曲して接着保持されているから、各ブラシ繊維束を繊維の抜けにくい状態に保持することができる。
【００１８】
本願第２発明の除電ブラシによれば、上記第１発明の効果に加え、基材を２つ折りに折曲する加工を省略でき、製作を容易化できると共に、基材を２つ折りする際に発生する歪みを解消し、整った形態に仕上げることができる利点もえられる。
【図面の簡単な説明】
【図１】（イ）第１発明における基材にブラシ繊維束を接着した状態の一部省略斜面図である。
（ロ）（イ）図のものに芯材を接着した状態の同上斜面図である。
（ハ）基材をＶ字状に２つ折りした状態の拡大側面図である。
（ニ）基材を最終的に２つ折りに接着した状態の同上側面図である。
【図２】（イ）他の実施例における基材にブラシ繊維束及び芯材を接着した状態の一部省略斜面図である。
（ロ）基材を最終的に２つ折りに接着した状態の拡大側面図である。
【図３】（イ）第２発明における基材にブラシ繊維束及び芯材を接着した状態の一部省略斜面図である。
（ロ）２枚の基材を接着した状態の拡大側面図である。
【符号の説明】
Ａ、Ａａ、Ａｂ  除電ブラシ
１、１ａ、１ｂ  基材
２、２ａ、２ｂ  粘着剤
３、３ａ、３ｂ  ブラシ繊維束
４、４ａ、４ｂ  芯材
【図１】
2004290439.tif 000003
【図２】
2004290439.tif 000004
【図３】
2004290439.tif 000005